(57)【特許請求の範囲】
【請求項１】
取付杆にスライド可能に連結される長孔を設けた樋支持具本体と、水平方向に回転させる横回転ロックレバーを有するロック機構を備え、これらを上下に貫通する連結軸で連結し、上記樋支持具本体を所望の位置で固定させる横回転ロック式の雨樋支持具において、
上記ロック機構は、さらに１枚のストッパー座金を備えて成り、このストッパー座金の下面には、その前、後に、幅方向に長く、且つ中央にかけて徐々に下方に膨出する膨出部を備えており、上記横回転ロックレバーの回転操作によって、その基板上面が、上記膨出部に乗り上げ、上記樋支持具本体を取付杆に圧接して固定される構造とされ、
上記横回転ロックレバーは、基板に上記連結軸を貫通する軸孔部が形成されると共に、この基板には、上方に向けて延設された上側把持部が形成されて成り、
これら上側把持部を指で摘んで、上記横回転ロックレバーをロック位置に回転したときには、上記樋支持具本体が取付杆に圧接して固定され、一方、上記横回転ロックレバーをアンロック位置に回転したときには、上記樋支持具本体と取付杆との圧接が解除され、この樋支持具本体を取付杆にスライド可能な構造とした横回転ロック式の雨樋支持具。
【請求項２】
請求項１において、
上記ストッパー座金に形成された膨出部の頂上には、更に下方に膨れた略半球状のヘソ部が形成されると共に、このヘソ部と係合されるロック決め凹部が、上記横回転ロックレバーの基板上に形成されている横回転ロック式の雨樋支持具。
【請求項３】
請求項１又は２の何れかにおいて、
上記ストッパー座金の上面には、上記樋支持具本体の下面に形成された複数の凹凸部に係止される係止片を形成している横回転ロック式の雨樋支持具。
【請求項４】
請求項１〜３の何れかにおいて、
上記樋支持具本体に形成した長孔の側壁には、長手方向に連続する凹凸部を形成し、この凹凸部の凹部と、上記ストッパー座金の係止片とを係脱可能な構造にしている横回転ロック式の雨樋支持具。
【請求項５】
請求項１〜４の何れかにおいて、
上記ロック機構の１枚のストッパー座金は、分割された２つの部材で構成されている横回転ロック式の雨樋支持具。
【発明の詳細な説明】
【０００１】
【発明の属する技術分野】
本発明は、軒先等に取付けられる横回転ロック式の雨樋支持具に関し、詳しくは、軒先等に固定される取付杆とスライド可能に連結した樋支持具本体を、水平方向に回転させる横回転ロックレバーで所望の位置にロックすることのできる横回転ロック式の雨樋支持具に関する。
【０００２】
【従来の技術】
図６は、従来の横回転ロック式の雨樋支持具を示す分解斜視図である。
【０００３】
この横回転ロック式の雨樋支持具１００は、取付杆１０１とスライド可能に連結した樋支持具本体１０２と、水平方向に回転させる横回転ロックレバー１０３を有するロック機構１０４を備え、これらを上下に貫通する結合軸１０５で結合したものである。
【０００４】
ロック機構１０４としては、１枚のストッパー座金１０６が用いられ、このストッパー座金１０６の下面には、その前、後に、幅方向に長く、且つ中央にかけて徐々に下方に膨出する膨出部１０６ａ、１０６ａを設けている。
【０００５】
また、ストッパー座金１０６の上面には、樋支持具本体１０２の下面に形成された複数の凹溝１０８に係止される係止片１０７を形成している。
【０００６】
図７（ａ）、（ｂ）は、従来の横回転ロック式の雨樋支持具の動作を示す底面概略図である。
【０００７】
図７（ａ）で示すように、横回転ロックレバー１０３は、これを水平方向に回転し、閉止面１１３が、ストッパー座金１０６の膨出部１０６ａ、１０６ａを乗り上げた位置に来ると、この膨出部１０６ａの高さ分だけストッパー座金１０６を持ち上げ、この係止片１０７が樋支持具本体１０２の凹溝１０８に係止すると共に、樋支持具本体１０２を取付杆１０１に圧接して固定され、樋支持具本体２のスライドを規制したロック状態となる。
【０００８】
一方、このロックを解除するには、横回転ロックレバー１０３を先程とは逆方向に水平回転すれば、図７（ｂ）で示すように、横回転ロックレバー１０３の閉止面１１３が、結合軸１０５を回転中心にして膨出部１０６ａ、１０６ａの間に位置し、膨出部１０６ａの高さ分だけストッパー座金１０６を落し下げることによって樋支持具本体１０２も下がり、取付杆１０１との圧接が解除されたアンロック状態となるので、樋支持具本体１０２を取付杆１０１にスライド可能にできるのである。
【０００９】
このように、従来の横回転ロック式の雨樋支持具１００は、ワンタッチで簡易且つ確実に樋支持具本体１０２を取付杆１０１に圧接して固定できる点で優れている。
【００１０】
【発明が解決しようとする課題】
しかし、従来の横回転ロックレバー１０３を操作するには、その両側壁１０３ａ、１０３ａを指で摘んで、これを横回転して操作するものであるため、雨樋支持具１００の下側から指で操作することしかできず、特に雨樋を樋支持具本体に取り付けた後には、この雨樋が邪魔になってしまい、横回転ロックレバー１０３を上側から操作し難いという問題があった。
【００１１】
本発明は、かかる課題を解決することを目的とするもので、横回転ロックレバーを上側から操作することのできる横回転ロック式の雨樋支持具を提供する。
【００１２】
【課題を解決するための手段】
上記目的を達成するため、
請求項１に係る横回転ロック式の雨樋支持具は、取付杆にスライド可能に連結される長孔を設けた樋支持具本体と、水平方向に回転させる横回転ロックレバーを有するロック機構を備え、これらを上下に貫通する連結軸で連結し、上記樋支持具本体を所望の位置で固定させる横回転ロック式の雨樋支持具において、上記ロック機構は、さらに１枚のストッパー座金を備えて成り、このストッパー座金の下面には、その前、後に、幅方向に長く、且つ中央にかけて徐々に下方に膨出する膨出部を備えており、上記横回転ロックレバーの回転操作によって、その基板上面が、上記膨出部に乗り上げ、上記樋支持具本体を取付杆に圧接して固定される構造とされ、上記横回転ロックレバーは、基板に上記連結軸を貫通する軸孔部が形成されると共に、この基板には、上方に向けて延設された上側把持部が形成されて成り、これら上側把持部又は下側把持部の何れかを指で摘んで、上記横回転ロックレバーをロック位置に回転したときには、上記樋支持具本体が取付杆に圧接して固定され、一方、上記横回転ロックレバーをアンロック位置に回転したときには、上記樋支持具本体と取付杆との圧接が解除され、この樋支持具本体を取付杆にスライド可能な構造としている。
【００１３】
請求項１では、横回転ロックレバーに上側把持部を形成しているので、これを指で摘んで横回転操作すれば、樋支持具本体を取付杆に対して、簡単にロック又はアンロック状態にできる。
【００１４】
このように、横回転ロックレバーを雨樋支持具の上側から指で摘んで回転操作することができるため、雨樋を樋支持具本体に取り付けた後であっても、雨樋が邪魔にならず、容易に横回転ロックレバーを操作できる。
【００１５】
（削除）
【００１６】
また、ロック機構は、横回転ロックレバーと１枚のストッパー座金とを備えて成る構造にしているため、従来と同様な構造のままで、請求項１と同様の効果を得ることができる。
【００１７】
請求項２に係る横回転ロック式の雨樋支持具は、請求項１において、上記ストッパー座金に形成された膨出部の頂上には、更に下方に膨れた略半球状のヘソ部が形成されると共に、このヘソ部と係合されるロック決め凹部が、上記横回転ロックレバーの基板上に形成されている。
【００１８】
請求項２では、ストッパー座金の膨出部のヘソ部と、ロック決め凹部とがカチッっと嵌り込むので、横回転ロックレバーのロック状態を音や手の感触によって確認することができる。
【００１９】
請求項３に係る横回転ロック式の雨樋支持具は、請求項２又は３の何れかにおいて、上記ストッパー座金の上面には、上記樋支持具本体の下面に形成された複数の凹凸部に係止される係止片を形成している。
【００２０】
請求項３では、ロック状態のときには、ストッパー座金の係止片が、樋支持具本体の凹凸部の凹部に係止されるので、樋支持具本体を確実にロックすることができる。
【００２１】
請求項４に係る横回転ロック式の雨樋支持具は、請求項２〜４の何れかにおいて、上記樋支持具本体に形成した長孔の側壁には、長手方向に連続する凹凸部を形成し、この凹凸部の凹部と、上記ストッパー座金の係止片とを係脱可能な構造にしている。
【００２２】
請求項４では、ロック状態のときにはストッパー座金に形成された係止片が、樋支持具本体の長孔の側壁に形成された凹凸部の凹部に係止するので、樋支持具本体のスライドを確実にロックできる。
【００２３】
請求項５に係る横回転ロック式の雨樋支持具は、請求項２〜５の何れかにおいて、上記ロック機構の１枚のストッパー座金は、分割された２つの部材で構成されている。
【００２４】
請求項５では、ストッパー座金を分割された２つの部材で構成しているので、横回転ロックレバーからの押圧力と、樋支持具本体との係合とを各部材に分散させて、ロック機構の耐久性を高めることができる。
【００２５】
【発明の実施の形態】
図１は、本発明に係る横回転ロック式の雨樋支持具を示す分解斜視図である。
【００２６】
図中１は横回転ロックレバー、２はストッパー座金、３はロック機構、４は取付杆、５は樋支持具本体、６は連結軸を各々示しており、以下、各部材について詳説する。
【００２７】
この雨樋支持具Ａには、樋支持具本体５を取付杆４に圧接固定して、そのスライドをロック、アンロック操作するロック機構３が設けられている。
【００２８】
このロック機構３には、様々な機構があるが、ここでは、その一例として、横回転ロックレバー１とストッパー座金２とを備えたものを例示している。
【００２９】
横回転ロックレバー１は、基板１１に連結軸６を貫通する軸孔部１２が形成されると共に、この基板１１の対角の縁部には、上方に向けて延設された一対の上側把持部１４を形成している。
【００３０】
この一対の上側把持部１４は、図１で示すように、取付杆４の上方で操作可能とするため、取付杆４及び樋支持具本体５を跨いで上方に延設されており、且つ、横回転ロックレバー１を水平に回転操作できる位置に形成している。
【００３１】
また、上側把持部１４は、何れも指で操作できる形状に形成されていれば良く、図例のものには限定されない。
【００３２】
なお、上側把持部１４が横方向に延設されたものであっても構わない。
【００３３】
このように横回転ロックレバー１は、基板１１の軸孔部１２を中心として水平方向に回転可能にしている。
【００３４】
ストッパー座金２は、矩形状の板材が用いられ、このストッパー座金２の下面端には、その前、後に、幅方向に長く、且つ中央にかけて徐々に下方に膨出する膨出部２１を設けている。
【００３５】
この膨出部２１の頂上には、更に下方に膨れた略半球状のヘソ部２１ａが形成されると共に、このヘソ部２１ａと係合されるロック決め凹部１５が、横回転ロックレバー１の基板１１上に形成されている。
【００３６】
また、ストッパー座金２の中央には、横回転ロックレバー１の軸孔部１２に重合される同様の軸孔部２２を形成している。
【００３７】
また、ストッパー座金２の上面であって、軸孔部２２の前後の対称位置には、樋支持具本体５の下面に形成された複数の凹凸部５１に係止される一対の係止片２３を上方に向けて形成している。
【００３８】
この係止片２３は、樋支持具本体５の下面に形成した凹凸部５１と係脱可能であれば良く、ここでは、横回転ロックレバー１の基板１１を切り欠き、その切り欠いた片を上方に折り曲げて形成している。
【００３９】
取付杆４は、軒先等に固定される取付足板４１の上端中央から前方に向けて足杆４２を延設し、この足杆４２の前方には、段落ち形成した連結片部４３を形成している。
【００４０】
この連結片部４３には、横回転ロックレバー１及びストッパー座金２の軸孔部１２、２２と重合する軸孔４４が開設されている。
【００４１】
なお、取付杆４の形状は例示であり、これに限定されるものではない。
【００４２】
樋支持具本体５は、長板状のスライド板本体の前後端に、図示のような雨樋Ｔを吊下げ支持するための樋掛止部５２が各々形成されている。
【００４３】
この樋掛止部５２は、図例のものに限定されず、雨樋Ｔの形状に応じて種々のものが採用できる。
【００４４】
また、スライド板本体の長手方向中央には、連結軸６が貫通する長孔５３を開設し、この長孔５３は、取付杆４の軸孔４４、ストッパー座金２の軸孔部２２、横回転ロックレバー１の軸孔部１２と常に重合している。
【００４５】
また、樋支持具本体５の下面には、その長孔５３に沿って連続する凹凸部５１が形成されている。
【００４６】
この凹凸部５１は、図のような鋸刃状の他、波状に形成することもでき、或いは、樋支持具本体５の下面だけに溝条を形成したものでも構わない。
【００４７】
連結軸６は、取付杆４の軸孔４４、樋支持具本体５の長孔５３、ストッパー座金２の軸孔部２２、横回転ロックレバー１の軸孔部１２を貫通する軸部６１を備えており、ここでは、リベットを例示しているが、一対のボルト、ナットを用いることも可能である。
【００４８】
この横回転ロック式の雨樋支持具Ａは、図１で示すように連結軸６を、取付杆４の軸孔４４、樋支持具本体５の長孔５３、ストッパー座金２の軸孔部２２、横回転ロックレバー１の軸孔部１２に順次貫通し、この連結軸６の下端にバネワッシャなどの弾性体７、座金８を挿通したうえで、その下端をカシメ止めてこれらが連結されており、樋支持具本体５を前後にスライド可能にしている。
【００４９】
このように構成された横回転ロック式の雨樋支持具Ａの作用を図面に基づき以下説明する。
【００５０】
図２は、図１で示された本発明に係る雨樋支持具の要部を拡大した概略側面図であり、図３は、図１で示された本発明に係る雨樋支持具の要部を拡大した概略底面図である。
【００５１】
この図２及び図３の（ａ）は、何れもアンロック状態を示しており、（ｂ）は何れもロック状態を示している。
【００５２】
なお、図１で示した部材と同一の部材には、同一の符号を付し、その説明は省略している。
【００５３】
先ず、取付杆４を軒先等に固定した後、横回転ロックレバー１を横方向にしたアンロック状態にしておく〔図２（ａ）、図３（ａ）参照〕。
【００５４】
このアンロック状態では、横回転ロックレバー１の係止片２３は、樋支持具本体５の下面に形成した凹凸部５１の凹部に係合されていないので、この樋支持具本体５を長孔５３に沿って前後にスライドでき、所望の位置に樋支持具本体５を位置付ける。
【００５５】
この樋支持具本体５を位置付けた後、横回転ロックレバー１の上側把持部１４を指で摘んで、これを左右何れかの方向（本図例では右方向）に回転すれば、横回転ロックレバー１の基板１１が、上位に在るストッパー座金２の膨出部２１に乗り上げる。
【００５６】
このとき、基板１１は、膨出部２１の高さ分だけストッパー座金２を上位に押し上げると共に連結軸６を引き下げようとするが、連結軸６の上端は取付杆４で移動が規制されているため、結果的には、この連結軸６を引き下げようとする力の反力も加わって、ストッパー座金２が樋支持具本体５を上方に押し上げ、樋支持具本体５が取付杆４に圧接されて固定し、樋支持具本体５の前、後スライドが規制されたロック状態にできる〔図２（ｂ）、図３（ｂ）参照〕。
【００５７】
また本実施例では、ストッパー座金２の上面に係止片２３を上方に向けて形成しているので、このストッパー座金２が樋支持具本体５を上方に押し上げるときには、係止片２３が樋支持具本体５の凹凸部５１の凹部に係止され、この樋支持具本体５を確実にロックすることができる。
【００５８】
さらに本実施例では、ストッパー座金２の膨出部２１の頂上には、更に下方に膨れた略半球状のヘソ部２１ａが形成されると共に、このヘソ部２１ａと係合されるロック決め凹部１５を横回転ロックレバー１の基板１１上に形成しているので、膨出部２１のヘソ部２１ａが、横回転ロックレバー１のロック決め凹部１５にカチッっと嵌り込んで、横回転ロックレバー１のロック状態を音や手の感触で確認することができる。
【００５９】
一方、ロック状態を解除するには、横回転ロックレバー１の上側把持部１４を指で摘んで、先程とは逆方向（本図例では左方向）に回転すれば、横回転ロックレバー１のロック決め凹部１５が、ストッパー座金２の膨出部２１のヘソ部２１ａから先ず離脱し、この基板１１がストッパー座金２の膨出部２１に沿って回転する。
【００６０】
そして、横回転ロックレバー１の基板１１が、ストッパー座金２の膨出部２１を越えて離脱したときには、このストッパー座金２を基板１１で支えることができないので、ストッパー座金２は、膨出部２１の高さ分だけ落下する。
【００６１】
このストッパー座金２の落下と同時に、樋支持具本体５も下がり落ちて、取付杆４との圧接固定が解除されたアンロック状態となるため、樋支持具本体５を再びスライド調節することができる〔図２（ａ）、図３（ａ）参照〕。
【００６２】
上記の通り、本発明に係る横回転ロック式の雨樋支持具Ａによれば、横回転ロックレバー１に上側把持部１４が形成されているので、これを指で摘んで横回転操作すれば、樋支持具本体５を取付杆４に対して、簡単にロック又はアンロック状態にできる。
【００６３】
このように、横回転ロックレバー１を雨樋支持具Ａの上側から指で摘んで回転操作することができるため、雨樋Ｔを樋支持具本体５に取り付けた後であっても、雨樋Ｔが邪魔にならず、容易に横回転ロックレバー１を操作できる。
【００６４】
また、横回転ロックレバー１の上側把持部１４は、指で摘んで操作できるので、この横回転ロックレバー１を操作する場合には、ドライバー等の工具を用いる必要がなく、高所での操作を安全に行うことができる。
【００６５】
図４は、本発明に係る横回転ロック式の雨樋支持具の他の例を示す分解斜視図である。
【００６６】
なお、図１と共通する部材には、共通の符号を付し、その説明は省略している。
【００６７】
この横回転ロック式の雨樋支持具Ａは、図１で示された樋支持具本体５の長孔５３の側壁に、長手方向に連続する凹凸部５４を形成し、この凹凸部５４の凹部と、ストッパー座金２の係止片２３とを係脱可能な構造にしたものである。
【００６８】
この図４では、図１で示された樋支持具本体５の下面の凹凸部５１に代えて、長孔５３の側壁に凹凸部５４を形成したものを例示しており、この場合にはロック状態のときにストッパー座金２の係止片２３が長孔５３の凹凸部５４の凹部に係合される構造にしている。
【００６９】
但し、図１のものに加えて、さらに長孔５３の側壁に凹凸部５４を形成することもでき、その場合には、ロック状態のときにストッパー座金２の係止片２３が樋支持具本体５の下面の凹凸部５１に係合されると共に、この係止片２３或いは他の係止片（不図示）が同時に長孔５３の凹凸部５４と係合される。
【００７０】
このような横回転ロック式の雨樋支持具Ａによれば、ロック状態のときにはストッパー座金２に形成された係止片２３が、樋支持具本体５の長孔５３の側壁に形成された凹凸部５４の凹部に係止するので、樋支持具本体５のスライドを確実にロックできる。
【００７１】
図５は、本発明に係る横回転ロック式の雨樋支持具の更に他の例を示す分解斜視図である。なお、図１、図４と共通する部材には、共通の符号を付し、その説明は省略している。
【００７２】
この横回転ロック式の雨樋支持具Ａは、図１、図４で示されたロック機構３の１枚のストッパー座金２を、分割された２つの部材２ａ、２ｂで構成されたものである。
【００７３】
この図５では、上述したストッパー座金２から係止片２３を除いたものを１つの部材２ａとし、この部材２ａの上位に、薄板の上面に係止片２３を上方に向けて形成した他の部材２ｂを載置した構造にしている。
【００７４】
このような横回転ロック式の雨樋支持具Ａによれば、横回転ロックレバー１からの押圧力と、樋支持具本体５との係合とを各部材２ａ、２ｂに分散させて担当させることができ、ロック機構３の耐久性を高めることができる。
【００７５】
【発明の効果】
本発明によれば、次のような効果がある。
【００７６】
請求項１に係る横回転ロック式の雨樋支持具によれば、横回転ロックレバーに上側把持部を形成しているので、これを指で摘んで横回転操作すれば、樋支持具本体を取付杆に対して、簡単にロック又はアンロック状態にできる。
【００７７】
このように、横回転ロックレバーを雨樋支持具の上側から指で摘んで回転操作することができるため、雨樋を樋支持具本体に取り付けた後であっても、雨樋が邪魔にならず、容易に横回転ロックレバーを操作できる。
【００７８】
請求項２に係る横回転ロック式の雨樋支持具によれば、ロック機構は、横回転ロックレバーと１枚のストッパー座金とを備えて成る構造にしているため、従来と同様な構造のままで、請求項１と同様の効果を得ることができる。
【００７９】
請求項３に係る横回転ロック式の雨樋支持具によれば、ストッパー座金の膨出部のヘソ部と、ロック決め凹部とがカチッっと嵌り込むので、横回転ロックレバーのロック状態を音や手の感触によって確認することができる。
【００８０】
請求項４に係る横回転ロック式の雨樋支持具によれば、ロック状態のときには、ストッパー座金の係止片が、樋支持具本体の凹凸部の凹部に係止されるので、樋支持具本体を確実にロックすることができる。
【００８１】
請求項５に係る横回転ロック式の雨樋支持具によれば、ロック状態のときにはストッパー座金に形成された係止片が、樋支持具本体の長孔の側壁に形成された凹凸部の凹部に係止するので、樋支持具本体のスライドを確実にロックできる。
【００８２】
請求項６に係る横回転ロック式の雨樋支持具によれば、横回転ロックレバーからの押圧力と、樋支持具本体との係合とを各部材に分散させて、ロック機構の耐久性を高めることができる。
【図面の簡単な説明】
【図１】本発明に係る横回転ロック式の雨樋支持具を示す分解斜視図
【図２】図１で示された本発明に係る雨樋支持具の要部を拡大した概略側面図
【図３】図１で示された本発明に係る雨樋支持具の要部を拡大した概略底面図
【図４】本発明に係る横回転ロック式の雨樋支持具の他の例を示す分解斜視図
【図５】本発明に係る横回転ロック式の雨樋支持具の更に他の例を示す分解斜視図
【図６】従来の横回転ロック式の雨樋支持具を示す分解斜視図
【図７】従来の横回転ロック式の雨樋支持具の動作を示す底面概略図
【符号の説明】
Ａ      横回転ロック式の雨樋支持具
Ｔ      雨樋
１      横回転ロックレバー
１１    基板
１２    軸孔部
１４    上側把持部
１５    ロック決め凹部
２      ストッパー座金
２１    膨出部
２１ａ  ヘソ部
２３    係止片
３      ロック機構
４      取付杆
５      樋支持具本体
５１    凹凸部
５３    長孔
５４    凹凸部
６      連結軸
【図１】
0004653902.tif 000002
【図２】
0004653902.tif 000003
【図３】
0004653902.tif 000004
【図４】
0004653902.tif 000005
【図５】
0004653902.tif 000006
【図６】
0004653902.tif 000007
【図７】
0004653902.tif 000008